(57)【要約】【課題】格納している書画情報に遠隔地からアクセスして遠隔地でプリントアウトできるサーバおよびそれを用いる画像処理装置を提供する。【解決手段】書画情報記憶ＨＤＤと、ＨＤＤに対して書画情報を読み書きする書画情報管理機能ｆと、インターネットを介してメールをやり取りしホームページＨＰＦを提示するネットワーク機能ｊと、ＨＤＤに蓄積した書画情報の識別情報をホームページ上に登録するサーバ機能ｊと、ネットワーク機能が受信した、ホームページ上の書画情報の識別情報および送信宛先の指定と送信指示に応じて、該識別情報の書画情報をネットワーク機能を介して送信宛先に送信する送信制御機能ｊと、を備えたサーバＤＳ。ファクシミリ送信機能ｋを更に備え、送信制御機能ｊは、送信宛先が電子メールアドレスかファクシミリかに応じてネットワーク機能ｊ又はファクシミリ送信機能ｋを選択する。【選択図】  図６
2004192263.tif 000002
【特許請求の範囲】
【請求項１】
書画情報記憶手段と、該書画情報記憶手段に対して書画情報を読み書きする書画情報管理機能と、通信網を介してメールをやり取りしホームページを提示するネットワーク機能と、前記書画情報記憶手段に蓄積した書画情報の識別情報を前記ホームページ上に登録するサーバ機能と、前記ネットワーク機能が受信した、ホームページ上の書画情報の識別情報および送信宛先の指定と送信指示に応じて、該識別情報の書画情報を前記ネットワーク機能を介して送信宛先に送信する送信制御機能と、を備えたサーバ。
【請求項２】
前記サーバはファクシミリ送信機能を更に備え、前記送信制御機能はファクシミリ送受信の書画情報は該ファクシミリ送信機能を介して送信宛先に送信する、請求項１に記載のサーバ。
【請求項３】
前記送信制御機能は、前記送信宛先が電子メールアドレスかファクシミリかに応じてネットワーク機能又はファクシミリ送信機能を選択してそれを介して書画情報を送信する、請求項２に記載のサーバ。
【請求項４】
前記サーバは、書画情報をファクシミリ用の符号データに変換するフォーマット変換機能を備え、前記送信制御機能は、ファクシミリに送信する書画情報を前記フォーマット変換機能を介して符号データに変換し、該符号データをファクシミリ送信機能が公衆網を介して宛先のファクシミリに送信する、請求項３に記載のサーバ。
【請求項５】
前記サーバは、書画情報を電子メールの添付ファイルの形式に変換するフォーマット変換機能を備え、前記送信制御機能は、電子メールアドレスに送信する書画情報を前記フォーマット変換機能を介して添付ファイルに変換して電子メールに添付し、該電子メールを前記ネットワーク機能が宛先の電子メールアドレスに送信する、請求項３又は請求項４に記載のサーバ。
【請求項６】
請求項１乃至５のいずれかに記載のサーバと、
原稿の画像を読み取るスキャナ；用紙上に画像を形成するプリンタ；ならびに、前記スキャナが発生する書画情報を前記プリンタでプリントアウトする画像データに変換して前記プリンタに出力する複写機能，コンピュータが与える印刷情報を前記プリンタでプリントアウトする画像データに変換して前記プリンタに出力する印刷機能，前記サーバが与える書画情報を前記プリンタでプリントアウトする画像データに変換して前記プリンタに出力する印刷機能、および、前記スキャナが発生した書画情報およびコンピュータが与える印刷情報を前記サーバに蓄積する登録機能、を持ち前記サーバが接続される画像データ処理装置；を備える画像読取記録装置と、
を含む画像処理装置。
【発明の詳細な説明】
【０００１】
【発明の属する技術分野】
本発明は、書画を蓄積し、蓄積書画を通信網を介してサーバから離れた場所でもプリントアウトすることができるサーバ、および、それを用いる画像処理装置に関する。より具体的には、これに限定する意図ではないが、ネットワーク上で画像データの送受信を行う機能と、公衆網を介して画像データのファクシミリ通信を行う機能と、スキャナ画像、ファクシミリ送受信画像、プリンタ出力用画像等の画像データを蓄積、管理する機能と、ｗｅｂサーバ機能を備えるサーバシステムに関する。
【０００２】
【従来技術】
複合機能複写機，ＰＣ（パーソナルコンピュータ），ドキュメントサーバなどのユーザの情報格納装置に蓄積した書画情報を、遠隔地からアクセスして遠隔地でプリントアウトしたい場合がある。しかし、一般に、携帯電話や携帯通信端末は印刷手段をもっておらず、情報を印刷する事ができない。
【０００３】
【特許文献１】特開２０００−３３９２３７は、携帯電話で電子メールをアプリケーションサーバに送り、該サーバでメール情報を印刷データに変換してプリンタアダプタに送信し、プリンタアダプタが、受信した印刷データをそれに接続したプリンタで出力できる形式の出力用データに変換して、該プリンタでプリントアウトする、電子メールを利用するプリントシステムを開示している。これは、携帯電話やＰＤＡ（携帯情報端末）等の携帯通信端末を利用した電子メールサービスと通信網に接続されたプリンタへの印刷出力サービスとの組合せによって、プリンタを持たないものが、ネットワークに接続されたサービスプリンタを利用しようとするものである。
【０００４】
【特許文献２】特開２００１−３０６４４６は、電子メールのデータを出力端末に蓄積し、出力端末に、該メールを特定するＩＤ（識別情報）を入力することにより、該出力端末の制御部が該メールを印刷出力するネットワーク出力端末を提示している。これも、プリンタを持たないものが、ネットワークに接続されたサービスプリンタを利用しようとするものである。
【０００５】
【特許文献３】特開２００２−３２２０５に開示のネットワーク印刷システムでは、ＰＣの書画データをプリントサービスサーバに転送し、該サーバは書画データに文書ＩＤを割り当てＰＣに返送すると共に、文書ＩＤに対応させて書画データを蓄積し、該ＰＣのユーザは、プリントストアに行ってそこのプリンタに文書ＩＤを入力し、該プリンタが文書ＩＤをプリントサービスサーバに転送し、プリントサービスサーバが該文書ＩＤが割り当てられた書画データを該プリンタに返送し、プリンタがプリントアウトする。
【０００６】
【特許文献４】特開平１０−２３５９７４に開示のネットワークプリントシステムでは、ＰＣの書画データをネットワークサーバに転送し、該サーバは書画データにジョブ番号及びパスワードを設定して書画データを蓄積するとともにジョブ番号及びパスワードをプリンタに送信し、プリンタはユーザからジョブ番号及びパスワードが入力されると、対応の書画データをネットワークサーバから入手してプリントアウトする。
【０００７】
【発明が解決しようとする課題】
特許文献１および２の、携帯端末の情報をメールでサービスプリンタに送ってプリントアウトするネットワーク印刷システムでは、複合機能複写機，ＰＣ（パーソナルコンピュータ），ドキュメントサーバなどのユーザ情報格納装置に蓄積した書画情報を遠隔地からアクセスして遠隔地でプリントアウトすることはできない。特許文献３および４のネットワークプリントシステムでは、予めユーザは、ユーザ情報格納装置にある書画情報をプリントサービスサーバに転送しておかなければならず、そのような準備をしなかった書画情報は、遠隔地でプリントアウトできない。
【０００８】
本発明は、格納している書画情報に遠隔地からアクセスして遠隔地でプリントアウトできるサーバおよびそれを用いる画像処理装置を提供することを目的とする。
【０００９】
【課題を解決するための手段】
（１）書画情報記憶手段（ｆ）と、該書画情報記憶手段に対して書画情報を読み書きする書画情報管理機能（ｆ）と、通信網（インターネット）を介してメールをやり取りしホームページ（ＨＰＦ）を提示するネットワーク機能（ｊ）と、前記書画情報記憶手段（ｆ）に蓄積した書画情報の識別情報を前記ホームページ上に登録するサーバ機能（ｊ）と、前記ネットワーク機能が受信した、ホームページ上の書画情報の識別情報および送信宛先の指定と送信指示に応じて、該識別情報の書画情報を前記ネットワーク機能を介して送信宛先に送信する送信制御機能（ｊ）と、を備えたサーバ（ＤＳ）。
【００１０】
なお、理解を容易にするためにカッコ内には、図面に示し後述する実施例の対応要素又は相当箇所の符号又は対応事項を、例示として参考までに付記した。以下も同様である。
【００１１】
これによれば、利用者が携帯電話，ＰＤＡ，パソコンなどのユーザ端末のＷｅｂブラウザを用いて、前記サーバ（ＤＳ）のホームページにアクセスして、該ホームページ上で、ホームページ上の識別情報を指定し送信宛先を指定して送信を指定すると、前記サーバ（ＤＳ）が該識別情報で特定される書画情報を該送信宛先に送信する。該送信宛先を、利用者の近くにあって書画情報受信機能と受信画像のプリントアウト機能があるファクシミリ，ネットワークプリンタ，複合機能複写機、あるいは、プリンタを接続したＰＣ等の画像処理装置とすることにより、前記サーバ（ＤＳ）に蓄積されている書画情報のプリントアウトが得られる。
【００１２】
【発明の実施の形態】
（２）前記サーバ（ＤＳ）はファクシミリ送信機能（ｋ）を更に備え、前記送信制御機能（ｊ）はファクシミリ送受信の書画情報は該ファクシミリ送信機能（ｋ）を介して送信宛先に送信する、上記（１）に記載のサーバ（ＤＳ）。
【００１３】
これによれば、利用者が前記ホームページ上で指定した送信宛先がファクシミリ番号（電話番号）であると、識別情報で特定される書画情報は、宛先のファクシミリ装置に自動的に送信される。利用者の身近にファクシミリ装置しかない場合に、利用者はそこでプリントアウトを得ることができ、ネットワークプリンタを探す必要がなくなる。
【００１４】
（３）前記送信制御機能（ｊ）は、前記送信宛先が電子メールアドレスかファクシミリかに応じてネットワーク機能（ｊ）又はファクシミリ送信機能（ｋ）を選択してそれを介して書画情報を送信する、上記（２）に記載のサーバ。
【００１５】
これによれば、利用者の身近にファクシミリ装置又はネットワークプリンタがあればプリントアウトが可能であり、身近なものでプリントアウトできる可能性が高い。
【００１６】
（４）前記サーバ（ＤＳ）は、書画情報をファクシミリ用の符号データに変換するフォーマット変換機能（ｇ）を備え、前記送信制御機能（ｊ）は、ファクシミリに送信する書画情報を前記フォーマット変換機能（ｇ）を介して符号データに変換し、該符号データをファクシミリ送信機能（ｋ）が公衆網を介して宛先のファクシミリに送信する、上記（３）に記載のサーバ（ＤＳ）。これによれば、ファクシミリ通信のデータ量が低減する。
【００１７】
（５）前記サーバ（ＤＳ）は、書画情報を電子メールの添付ファイルの形式に変換するフォーマット変換機能（ｇ）を備え、前記送信制御機能（ｊ）は、電子メールアドレスに送信する書画情報を前記フォーマット変換機能を介して添付ファイルに変換して電子メールに添付し、該電子メールを前記ネットワーク機能（ｊ）が宛先の電子メールアドレスに送信する、上記（３）又は（４）に記載のサーバ（ＤＳ）。
【００１８】
（６）上記（１）乃至（５）のいずれかに記載のサーバ（ＤＳ）と、
原稿の画像を読み取るスキャナ（１０）；用紙上に画像を形成するプリンタ（１００）；ならびに、前記スキャナが発生する書画情報を前記プリンタでプリントアウトする画像データに変換して前記プリンタに出力する複写機能，コンピュータ（ＰＣ１）が与える印刷情報を前記プリンタでプリントアウトする画像データに変換して前記プリンタに出力する印刷機能，前記サーバ（ＤＳ）が与える書画情報（メール，ファクシミリ）を前記プリンタでプリントアウトする画像データに変換して前記プリンタに出力する印刷機能、および、前記スキャナが発生した書画情報およびコンピュータ（ＰＣ１）が与える印刷情報を前記サーバ（ＤＳ）に蓄積する登録機能、を持ち前記サーバが接続される画像データ処理装置（ＡＣＰ）；を備える画像読取記録装置（１０，１００，ＡＣＰ）と、
を含む画像処理装置。
【００１９】
これによれば、利用者が画像データ処理装置（ＡＣＰ）に指示して、スキャナ読取の画像情報およびコンピュータ出力の印刷情報をサーバ（ＤＳ）に蓄積し、遠隔地において利用者が携帯電話，ＰＤＡ，パソコンなどのユーザ端末のＷｅｂブラウザを用いて、前記サーバ（ＤＳ）のホームページにアクセスして、該ホームページ上で、ホームページ上の識別情報を指定し送信宛先を指定して送信を指定すると、前記サーバ（ＤＳ）が該識別情報で特定される書画情報を該送信宛先に送信する。該送信宛先を、利用者の近くにあって書画情報受信機能と受信画像のプリントアウト機能があるファクシミリ，ネットワークプリンタ，複合機能複写機、あるいは、プリンタを接続したＰＣ等の画像処理装置、もしくは利用者の上記画像処理装置と同じ機能を持つ他の画像処理装置のサーバ、とすることにより、利用者のサーバ（ＤＳ）に蓄積されている書画情報のプリントアウトが得られる。
【００２０】
（７）コピー機能（１０）と、ファクシミリ送受信機能（ｋ）と、プリンタ機能（１００）と、各機能によって発生する書画情報（スキャナで読み取った画像，ファクシミリ受信データやコンピュータ等からのプリンタ出力用データ，電子メール受信データ）を記憶手段に蓄積し読出す書画情報管理機能（ＡＣＰ，ｆ）と、ＬＡＮ（Ｌｏｃａｌ  Ａｒｅａ  Ｎｅｔｗｏｒｋ）及びインターネット等と接続を行うネットワーク機能（Ｉ，ｊ）と、前記記憶手段に蓄積している書画情報をホームページ（ＨＰＦ）上に登録するｗｅｂサーバ機能（ｊ）を備えた画像処理装置（１０，１００，ＡＣＰ，ＤＳ）において、
ｗｅｂブラウザで開いたホームページ上にて指定された書画情報を、指定された宛先に送信する事を特徴とする、画像処理装置（１０，１００，ＡＣＰ，ＤＳ）。
【００２１】
これによれば、利用者自身が管理する画像処理装置（１０，１００，ＡＣＰ，ＤＳ）のサーバ（ＤＳ）のホームページをインターネット上に構築し、該サーバ（ＤＳ）に蓄積している書画情報の識別情報を該ホームページに登録し、利用者が、該サーバから離れたところで該サーバに蓄積している画像データが必要になると、利用者の携帯電話，携帯端末，コンピュータ等のユーザ端末でインターネットを介して該ホームページにアクセスして、該ユーザ端末に搭載されているｗｅｂブラウザ機能によって、ホームページに登録している識別情報の書画情報を、利用者の身近（例えば出先の職場，プリントサービス点，サーバが職場にある場合には自宅）にあるプリンタあるいはファクシミリに転送してプリントアウトすることができる。
【００２２】
サーバ（ＤＳ）上の利用者個人のホームページに利用者が必要とする書画が登録してあり、利用者は、ｗｅｂブラウザを使用できる環境があり身近に公衆回線網及びインターネット網に接続されている印刷可能な出力手段があれば、利用者自身が必要とする書画を、身近な出力手段から印刷し手に入れる環境を提供する事が可能となる。
【００２３】
（８）宛先としてファクシミリがｗｅｂブラウザによって指示された場合、指定された書画情報をファクシミリ用の符号データに変換し公衆網を介して宛先のファクシミリに送信する、上記（７）の画像処理装置。これによれば、利用者がｗｅｂブラウザを利用でき身近にファクシミリ装置があれば、宛先としてその電話番号を指定する事により、必要な文書をそのファクシミリから出力する事が出来る。
【００２４】
（９）宛先として電子メールアドレスがｗｅｂブラウザ上で指示された場合、書画情報を添付ファイルの形式に変換し電子メールで宛先に送信する、上記（７）又は（８）の画像処理装置。これによれば、利用者がｗｅｂブラウザを利用でき身近にインターネットファクシミリやインターネットプリンタがあれば、その対象となる電子メールアドレスを宛先として指定する事により、必要な書画情報をそのインターネットファクシミリやインターネットプリンタに印刷する事が可能となる。また、手元にない書画情報を電子メールで他のコンピュータに送信する事が可能となる。
【００２５】
本発明の他の目的および特徴は、図面を参照した以下の実施例の説明より明らかになろう。
【００２６】
【実施例】
図１に、本発明の１実施例の画像処理装置（ＤＳ＋Ａ１）を用いる書画情報転送システムの概要を示す。複合機能カラー複写機Ａ１にドキュメントサーバＤＳが接続されており、このドキュメントサーバＤＳが、複合機能カラー複写機Ａ１と直接に書画情報をやり取りするとともに、ＬＡＮ（Ｌｏｃａｌ  Ａｒｅａ  Ｎｅｔｗｏｒｋ），広域通信網（ｗｗｗ：  Ｗｏｒｌｄ  Ｗｉｄｅ  Ｗｅｂ）であるインターネットあるいは公衆回線（電話回線）を介して、ＬＡＮ接続のパソコンＰＣ３，スキャナＳＲ，プリンタＰＲ１と、またインターネット通信によってパソコンＰＣ４，ノーツパソコンＰＣ５，ＰＤＡ（携帯情報端末），携帯電話などのユーザ端末ならびにインターネットファクシミリＦＡ２およびインターネットプリンタＰＲ２と、更には電話回線を介してファクシミリＦＡ１と、書画情報をやりとりすることができる。
【００２７】
上記画像処理装置（ＤＳ＋Ａ１），ＬＡＮ，ＰＣ３，ＳＲ，ＰＲ１は、例えばユーザの職場又はＳＯＨＯ（Ｓｍａｌｌ  Ｏｆｆｉｃｅ，  Ｈｏｍｅ  Ｏｆｆｉｃｅ）にあるユーザ使用システムのＩＴ機器であり、パソコンＰＣ４，ノーツパソコンＰＣ５，ＰＤＡなどのユーザ端末が、ユーザがプライベイトに所有する（自宅にある）又は携帯するＩＴ機器である。
【００２８】
上記公衆回線（電話回線）を利用するファクシミリＦＡ１，インターネット通信のファクシミリＦＡ２およびプリンタＰＲ２ならびにインターネット接続のＬＡＮおよびそれに接続されたＰＣ６および複合機能カラー複写機Ａ２は、ユーザの訪問先の事業所又は個人、あるいは、プリントサービス店，コンビニなどの顧客利用のＩＴ機器および画像処理機器をサービス（商用）に供する店舗にあるものである。
【００２９】
１つの使用態様では、サーバＤＳに書画情報（スキャナやデジタルカメラのイメージデータ，ＣＧの画像データ，ワープロ又はＰＣの文章情報，ＣＡＤの画像データ，ファクシミリあるいは電子メールの画像データあるいは文書データ）を蓄積しているユーザが、サーバＤＳの場所から遠いが、その蓄積書画のプリントアウトを必要とするとき、身近なユーザ端末を用いてインターネットを介してサーバＤＳのホームページにアクセスして、ユーザの訪問先の事業所又は個人、あるいは、プリントサービス店，コンビニなどの、公衆回線利用のファクシミリもしくはインターネットの電子メール利用のファクシミリ，プリンタ又はＰＣ接続のプリンタ、を送信宛先に指定して、ホームページ上に表記した書画情報の転送を指示する。サーバＤＳは、そのホームページ上の転送指示に応答して、指定があった書画情報をサーバＤＳ内のＨＤＤ（ハードディスク装置）から読み出して、指定があった送信宛先に送信する。
【００３０】
図２に、図１に示す複合機能カラー複写機Ａ１とサーバＤＳ、ならびにそれらに接続された要素、の概要を示す。複合機能カラー複写機Ａ１には、パソコンＰＣ１，ＬＡＮ（Ｌｏｃａｌ  Ａｒｅａ  Ｎｅｔｗｏｒｋ）およびドキュメントサーバＤＳが接続されている。
【００３１】
図２に示す複合機能カラー複写機Ａ１は、大略で、自動原稿送り装置（ＡＤＦ）３０と、操作ボード２０と、カラースキャナ１０と、カラープリンタ１００と、給紙バンク３５の各ユニットで構成されている。ステープラ及び作像された用紙を積載可能なトレイ付きのフィニッシャ３４と、両面ドライブユニット３３と、大容量給紙トレイ３６は、プリンタ１００に装着されている。カラープリンタ１００のプリント済の用紙は、排紙トレイ１０８上またはフィニッシャ３４に排出される。
【００３２】
この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙搬送路に沿って配置されている。即ち、４連ドラム方式のフルカラー画像形成装置である。これらマゼンダ（Ｍ），シアン（Ｃ），イエロー（Ｙ）および黒（Ｋ）のトナー像形成ユニットは、それぞれ、感光体ドラムを有する感光体ユニットと、現像ユニットとを備えている。また、各トナー像形成部の配置は、各感光体ユニット内の感光体ドラムの回転軸が水平ｘ軸（主走査方向）に平行になるように、且つ、転写紙移動方向ｙ（副走査方向）に所定ピッチの配列となるように、設定されている。
【００３３】
また、レーザプリンタは、上記トナ−像形成ユニットのほか、レーザ走査によるレーザ露光ユニット、給紙カセット、レジストローラ対、転写紙を担持して各トナ−像形成部の転写位置を通過するように搬送する転写搬送ベルトを有する転写ベルトユニット、ベルト定着方式の定着ユニット、排紙トレイ，両面ドライブ（面反転）ユニット等を備えている。また、レーザプリンタは、手差しトレイ、トナ−補給容器、廃トナーボトル、なども備えている。
【００３４】
レーザ露光ユニットは、レーザ発光器、ポリゴンミラー、ｆ−θレンズ、反射ミラー等を備え、画像データに基づいて各感光体ドラムの表面にレーザ光を、ｘ方向に振り走査しながら照射する。
【００３５】
給紙カセットから給送された転写紙は、搬送ガイドで案内されながら搬送ローラで搬送され、レジストローラ対に送られる。このレジストローラ対により所定のタイミングで転写搬送ベルトに送出された転写紙は転写搬送ベルトで担持され、各トナ−像形成部の転写位置を通過するように搬送される。
【００３６】
各トナー像形成部の感光体ドラムに形成されたトナー像が、転写搬送ベルトで担持され搬送される転写紙に転写され、各色トナー像の重ね合わせ即ちカラー画像が形成された転写紙は、定着ユニットに送られる。すなわち転写は、転写紙上にじかにトナー像を転写する直接転写方式である。定着ユニットを通過する時トナー像が転写紙に定着する。トナー像が定着した転写紙は、排紙トレイ，フィニッシャ３４又は両面ドライブユニット３３に排出又は送給される。
【００３７】
フィニッシャ３４は、スタッカトレイすなわち積載降下トレイ３４ｈｓおよびソートトレイ群３４ｓｔを持ち、積載降下トレイ３４ｈｓに用紙（プリント済紙，転写済紙）を排出するスタッカ排紙モードと、ソートトレイ群３４ｓｔに排紙するソータ排紙モードを持つ。
【００３８】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００３９】
ソータ排紙モードが指定されるとフィニッシャ内排紙コントローラは、最下部の重ね待避位置に置いたソートトレイ群３４ｓｔを、図２上で２点鎖線で示す使用位置に上駆動し、ソータトレイ間の間隔を広げる。ソータ排紙モードでは、１回（一人）の設定枚数の複写又はプリントは、部ソートにソータ排紙モードが設定されているときには、同一原稿（画像）をプリントした各転写紙をソートトレイ群３４ｓｔの各トレイに仕分け収納する。頁ソートにソータ排紙モードが設定されているときには、各トレイを各頁（画像）に割り当てて、同一頁をプリントした各転写紙を１つのソートトレイに積載する。
【００４０】
図３に、図２に示す画像処理系統のシステム構成を示す。このシステムでは、読取ユニット１１と画像データ出力Ｉ／Ｆ（Ｉｎｔｅｒｆａｃｅ：インターフェイス）１２でなるカラー原稿スキャナ１２が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ（Ｉｍａｇｅ  Ｐｒｏｃｅｓｓｉｎｇ  Ｐｒｏｃｅｓｓｏｒ；以下では単にＩＰＰと記述）から、書込みＩ／Ｆ１３４に記録画像データを受けて、作像ユニット１３５でプリントアウトする。作像ユニット１３５は、上述したカラー作像を行うものである。
【００４１】
画像データ処理装置ＡＣＰ（以下では単にＡＣＰと記述）は、パラレルバスＰｂ，メモリアクセス制御ＩＭＡＣ（以下では単にＩＭＡＣと記述），画像メモリであるメモリモジュール（以下では単にＭＥＭと記述），システムコントローラ１，ＲＡＭ４，不揮発メモリ５，フォントＲＯＭ６，ＣＤＩＣ，ＩＰＰ等、を備える。ＭＥＭのメモリ容量を補うＨＤＤとして、ドキュメントサーバＤＳがＩＭＡＣに接続されている。画像データ処理装置ＡＣＰから見ると、ドキュメントサーバＤＳは、ＭＥＭのメモリ容量を補う画像メモリであり、また、複合機能の１態様である画像データの蓄積に用いる高容量画像メモリである。
【００４２】
カラー原稿スキャナ１０の、原稿を光学的に読み取る読取ユニット１１は、原稿に対するランプ照射の反射光を、センサボードユニットＳＢＵ（以下では単にＳＢＵと表記）上の、ＣＣＤで光電変換してＲ，Ｇ，Ｂ画像信号を生成し、Ａ／ＤコンバータでＲＧＢ画像データに変換し、そしてシェーディング補正して、出力Ｉ／Ｆ１２を介してＣＤＩＣに送出する。
【００４３】
ＣＤＩＣは、画像データに関し、原稿スキャナ１０（出力Ｉ／Ｆ１２），パラレルバスＰｂ，ＩＰＰ間のデータ転送、ならびに、プロセスコントローラ１３１とＡＣＰの全体制御を司るシステムコントローラ１との間の通信をおこなう。また、ＲＡＭ１３２はプロセスコントローラ１３１のワークエリアとして使用され、ＲＯＭ１３３はプロセスコントローラ１３１の動作プログラム等を記憶している。
【００４４】
メモリアクセス制御ＩＭＡＣ（以下では単にＩＭＡＣと記述）は、ＭＥＭおよびサーバＤＳに対する画像データおよび制御データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００４５】
システムコントローラ１に接続している操作ボード２０は、ＡＣＰがおこなうべき処理を指示する。たとえば、処理の種類（複写、ファクシミリ送信、画像読込、プリント等）および処理の枚数等を入力する。これにより、画像データ制御情報の入力をおこなうことができる。
【００４６】
スキャナ１０の読取ユニット１１より読み取った画像データは、スキャナ１０のＳＢＵでシェーディング補正を施してから、ＩＰＰで、スキャナガンマ補正，フィルタ処理などの、読取り歪を補正する画像処理を施してから、ＭＥＭ又はサーバＤＳに蓄積する。ＭＥＭ又はサーバＤＳの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００４７】
ＩＭＡＣは、システムコントローラ１の制御に基づいて、画像データとＭＥＭ又はサーバＤＳのアクセス制御，パソコンＰＣ１のプリント用データの展開，ＭＥＭおよびサーバＤＳの有効活用のための画像データの圧縮／伸張をおこなう。
【００４８】
ＩＭＡＣへ送られた画像データは、データ圧縮後、ＭＥＭ又はサーバＤＳに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に再生画像を形成する。
【００４９】
画像データの流れにおいて、パラレルバスＰｂおよびＣＤＩＣでのバス制御により、デジタル複合機の機能を実現する。ファクシミリ送信は、スキャナ１０で読取られた画像データをＩＰＰにて画像処理を実施し、ＣＤＩＣおよびパラレルバスＰｂを経由してサーバＤＳに転送し、サーバＤＳのファクシミリ機能で公衆回線又はインターネットを介して相手先ＦＣＵへ転送することによりおこなわれる。ファクシミリ受信は、サーバＤＳが行い、受信データをサーバＤＳが復号してＡＣＰに出力し、ＡＣＰのプリント出力制御によって、プリンタ１００がプリントアウトする。
【００５０】
複数ジョブ、たとえば、コピー機能，ファクシミリ送受信機能，プリンタ出力機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００５１】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１３１間の通信を行う。
【００５２】
各種バスインターフェース、たとえばパラレルバスＩ／Ｆ  ７、サーバＩ／Ｆ８およびローカルバスＩ／Ｆ  ３は、ＩＭＡＣに接続されている。コントローラーユニット１は、ＡＣＰ全体の中での独立性を保つために、複数種類のバス経由で関連ユニットと接続する。
【００５３】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭ，サーバＤＳに蓄積させるための動作制御指令を発する。この動作制御指令は、ＩＭＡＣ，パラレルバスＩ／Ｆ  ７、パラレルバスＰｂを経由して送られる。
【００５４】
この動作制御指令に応答して、画像データはＣＤＩＣからパラレルバスＰｂおよびパラレルバスＩ／Ｆ  ７を介してＩＭＡＣに送られる。そして、画像データはＩＭＡＣの制御によりＭＥＭ又はサーバＤＳに格納されることになる。
【００５５】
一方、ＡＣＰのシステムコントローラ１は、ＰＣ１又はサーバＤＳからのプリンタ機能としての呼び出しの場合、プリンタコントローラとネットワーク制御およびシリアルバス制御として機能する。サーバＤＳからのアクセスの場合、ＩＭＡＣはサーバＩ／Ｆ  ８を介して、サーバＤＳのプリント出力要求データを受け取る。ネットワーク（ＬＡＮ，インターネット，公衆回線）からサーバＤＳへの要求データ（外来コマンド）に対してはサーバＤＳが応答し、ネットワーク経由の蓄積データの転送又は受信蓄積を行う。ＰＣ１はサーバＤＳには、システムコントローラ１およびＩＭＡＣを介してアクセスする。ＰＣ１からサーバＤＳへの要求データ（内来コマンド）に対してもサーバＤＳが、蓄積データの転送又は受信蓄積を行う。
【００５６】
ＰＣ１からの内来のプリント出力要求データ、ならびに、サーバＤＳがネットワークから受信したＰＣからのプリント出力要求データは、システムコントローラ１により画像データに展開される。その展開先はＭＥＭ内のエリアである。展開に必要なフォントデータは、ローカルバスＩ／Ｆ  ３およびローカルバスＲｂ経由でフォントＲＯＭ６を参照することにより得られる。ローカルバスＲｂは、このコントローラ１を不揮発メモリ５およびＲＡＭ４と接続する。
【００５７】
シリアルバスＳｂに関しては、ＰＣ１との接続のための接続ポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００５８】
システムコントローラ１と、ＭＥＭ，サーバＤＳおよび各種バスとのデータ送受信は、ＩＭＡＣを経由しておこなわれる。ＭＥＭおよびサーバＤＳを使用するジョブはＡＣＰ全体の中で一元管理される。
【００５９】
ドキュメントサーバＤＳには、ＩＭＡＣとの間で書画情報をやり取りする入出力部ｅ，書画情報記憶手段であるＨＤＤを内蔵しＨＤＤに対して書画情報を読み書きする書画情報管理機能およびユーザがインターネット上に解説したホームページをＨＤＤに蓄積しかつＨＤＤに蓄積した書画情報の識別情報を該ホームページ上に付加し、該ホームページにアクセスがあると該ホームページデータを送受信部ｊに送出するサーバ機能があるドキュメント蓄積管理部ｆ，ＰＣ２が接続されたＰＣ入出力部ｈ，ＬＡＮに対する入出力を行うＬＡＮ制御部ｉ，インターネットを介する電子メールを用いて書画情報をやり取りしドキュメント蓄積管理部ｆのＨＤＤに格納したホームページにアクセスがあるとインターネットに該ホームページを提示するネットワーク機能およびネットワーク機能が受信したホームページ上の書画情報の識別情報および送信宛先の指定と送信指示に応じて該識別情報の書画情報をドキュメント蓄積管理部ｆのＨＤＤから読み出してネットワーク機能を介して送信宛先に送信する送信制御機能を持つインターネット送受信部ｊ，公衆回線を介してファクシミリ送受信を行う公衆回線送受信部ｋ，書画情報をファクシミリ用の符号データに変換（圧縮）し符号データを書画情報に変換（伸張）するファクシミリ用のフォーマット変換機能と書画情報を電子メールの添付ファイルの形式に変換（圧縮）し添付ファイルを書画情報に変換（伸張）するメール用フォーマット変換機能をもつフォーマット変換部ｇ，サーバＤＳの上述の各種機能を示現するプログラムおよび設定データを格納したＲＯＭ  ｃ，このＲＯＭのデータをＣＰＵ  ａおよび各部が利用できる形に展開し入出力情報，設定情報およびコマンドを読み書きするシステムメモリｄ、および、各機能の実行を制御するＣＰＵ  ａがある。システムメモリｄには不揮発メモリがあり、これに通信設定データ，アクセス許可ＩＤ等の利用管理情報が保持され、その登録データが各機能で参照される。
【００６０】
カラー原稿スキャナ１０の読取画像データ（スキャナ書画情報）又はＰＣ１の書画情報を、サーバＤＳに蓄積，ファクシミリ送信又はメール送信する場合には、ＡＣＰのＩＭＡＣ，サーバＩ／Ｆ８を介して、サーバＤＳの入出力部ｅを介して、ドキュメント蓄積管理部ｆまたはフォーマット変換部ｇにスキャナ書画情報又はＰＣ１書画情報が転送される。ファクシミリ送信又はメール送信の場合の、これらの書画情報の２頁目以降の書画情報は一旦ドキュメント蓄積管理部ｆのＨＤＤに格納されて、先行頁の処理が終るとフォーマット変換部ｇに読み出される。
【００６１】
サーバＤＳがファクシミリあるいはメールで受信する書画情報（受信書画情報）は、一旦ドキュメント蓄積管理部ｆのＨＤＤに蓄積されて、受信書画情報の秘密管理情報にしたがって処理される。例えば、秘密保持の必要がないファクシミリ受信は、プリンタ１００がレディ（プリント開始可）であると受信中にカラープリンタ１００でのプリントアウトを開始するが、秘密保持要のものはプリントアウトせず、着信の存在をＰＣ１，ＰＣ２に表示する。受信メールは、ドキュメント蓄積管理部ｆのＨＤＤに蓄積し、メール受信があることをＰＣ１，ＰＣ２を表示する。ＰＣ１，ＰＣ２ならびにＬＡＮに接続したＰＣ３は、書画情報の秘密管理情報に対応したアクセス許可入力又は操作で、サーバＤＳに蓄積した書画情報をＰＣ１，ＰＣ２に表示することができ、またプリンタ１００でプリントアウトでき、しかも、公衆回線又はインターネットを使用して送信できる。
【００６２】
インターネット上の、サーバＤＳが提示するホームページのアドレス（ＵＲＬ）を知るものは、該ホームページを利用して、サーバＤＳが蓄積している書画情報を他に転送させることができる。
【００６３】
ドキュメントサーバＤＳの利用権限がある者（利用者又はユーザ）は、自分の必要とする書画情報を、ドキュメントサーバＤＳ内の文書蓄積管理部ｆ（のＨＤＤ）に登録する。登録する書画情報としては、スキャナ１０又はＳＲで読み取った紙文書の画像データ（スキャナ書画情報）、公衆回線網から受信したファクシミリ受信データ、ＰＣ１〜ＰＣ３で作成した文書をプリンタ出力する時のプリンタ出力データ、インターネットの電子メール受信データが挙げられる。文書蓄積管理部ｆは、これらの書画情報を、文書番号，文書名，文書種別の情報を付加し、ＨＤＤに蓄積登録する。
【００６４】
ユーザは、将来に蓄積文書にホームページを利用してアクセスしたい場合には、自分が開設した個人用又はドキュメントサーバＤＳ用の、送受信部ｊに設定したｈｔｍｌで記載されたホームページのアドレス（ＵＲＬ）を指定して、上述の書画情報の登録を行う。この場合には文書蓄積管理部ｆは、書画情報を管理部ｆ内のＨＤＤに蓄積登録するとともに、該ＨＤＤに格納している該ホームページの提示画面上の文書名リストに、今回登録した書画情報の文書名（識別情報）を加入し、しかも、そこにリンクを設定する。すなわち、該書画情報のパス（ＨＤＤおよびそれからの読み出しアドレス）を、ＨＤＤに格納しているホームページデータに加える。このような、管理部ｆへの書画情報の蓄積形態を、模式的に図４に示す。
【００６５】
次にサーバＤＳに登録した文書をユーザが遠隔で利用する方法を述べる。図６には、そのときの、ユーザのアクセスに応答するサーバＤＳの情報処理および通信制御の概要を示す。
【００６６】
ユーザが、サーバＤＳから遠い場所で、必要な文書を手元に欲しい場合には、ｗｅｂブラウザを使用できる携帯電話，携帯通信端末あるいはノートＰＣ５、もしくはパソコンＰＣ６など、身近で利用できる端末から、送受信部ｊに登録がある、ユーザ自身又はドキュメントサーバＤＳのホームページにアクセスする。ここでドキュメントサーバＤＳの送受信部ｊにはｗｅｂサーバ機能があり、アクセスがあったホームページをドキュメント蓄積管理部ｆから読み出して返送する。これによりユーザ端末にホームページが表示される（図６のステップｓ１）。ホームページ表示画像ＨＰＦの主要部のスケルトンを図５に示す。なお、以下においては、括弧内には、ステップという語を省略して、ステップに付した記号のみを記す。
【００６７】
ユーザがホームページ上の「文書送信」をクリックすると、ドキュメントサーバＤＳは「文書送信」にリンクした、管理部ｆのＨＤＤにある文書選択を案内する頁をユーザ端末に表示する。ユーザが文書名（識別情報）をクリックすると、ドキュメントサーバＤＳは該文書名にリンクした文書読出しアドレスをセーブして、送信宛先を入力する頁をユーザ端末に表示するとともに（ｓ２）、セーブした文書読出しアドレスの書画情報を管理部ｆのＨＤＤから読み出して、システムメモリｄ上にイメージとして展開する。すなわち、読み出した書画情報を画像を表すイメージデータに変換してシステムメモリｄに書き込む（ｓ３，ｓ４）。
【００６８】
次に送信形態としてファクシミリ送信が選択された場合は、送信宛先となる電話番号の入力が完了すれば、フォーマット変換部ｇによってメモリｄ上のイメージをファクシミリ用符号化、例えばＭＭＲ，ＭＲ，ＭＨ，ＪＢＩＧ等、によって圧縮データに変換し、送信宛先のファクシミリに対し公衆回線網を介して送信する（ｓ９〜ｓ１２）。この方法により、ユーザはユーザ端末がｗｅｂブラウザを利用できる環境が有れば、サーバＤＳ上の必要な文書を身近にあるファクシミリＦＡ１を利用して印刷する事が可能となる。
【００６９】
また、送信方法として電子メールが選択された場合には、サーバＤＳは、フォーマット変換部ｇによりメモリｄ上のイメージを、ｔｉｆｆ，ｊｐｅｇ等の画像添付で汎用の画像フォーマットに変換後、このデータを添付ファイルとする電子メールを送受信部ｊで作成し、インターネット介してインターネットファクシミリＦＡ２やインターネットプリンタＰＲ２、さらにＬＡＮを介して他のコンピュータＰＣ６又は複合機能複写機Ａ２もしくはＬＡＮに接続したプリンタに文書を送信する（ｓ５〜ｓ８）。この方法により、ユーザはユーザ端末がｗｅｂブラウザを利用できる環境が有れば、必要な文書を身近にあるインターネットファクシミリＦＡ２やインターネットプリンタＰＲ２を利用して印刷する事が可能となる。また、手元にない、サーバＤＳの文書を電子メールで他のコンピュータＰＣ６に送信する事が可能となる。
【００７０】
【発明の効果】
上述のようにユーザは、携帯電話，ＰＤＡ，パソコンなどのユーザ端末のＷｅｂブラウザを用いて、サーバＤＳのホームページにアクセスして、該ホームページ上で、ホームページ上の識別情報を指定し送信宛先を指定して送信を指定することにより、該サーバＤＳから遠く離れた場所で、サーバＤＳに蓄積されている書画情報のプリントアウトを得ることができる。
【図面の簡単な説明】
【図１】本発明の１実施例の画像処理装置を用いる書画情報転送システムの概要を示すブロック図である。
【図２】図１に示す複合機能カラー複写機Ａ１およびドキュメントサーバＤＳの外観を示す拡大正面図である。
【図３】図２に示す複合機能カラー複写機Ａ１の画像処理システムの概要を示すブロック図である。
【図４】図３に示すドキュメント蓄積管理部ｆのＨＤＤに蓄積する書画情報の蓄積リストを示すブロック図である。
【図５】図１に示すサーバＤＳが、図１に示すユーザ端末に送信するホームページの画面の概要を示す平面図である。
【図６】図１に示すサーバＤＳの、ユーザ端末からのアクセスに応答する書画情報転送制御の概要を示すフローチャートである。
【符号の説明】
１０：カラー原稿スキャナ  ３０：自動原稿供給装置
３４：フィニッシャ        ３４ｈｓ：積載降下トレイ
３４ｕｄ：昇降台          ３４ｓｔ：ソートトレイ群
１００：カラープリンタ    ＰＣ１〜ＰＣ６：パソコン
ＰＢＸ：交換器            ＡＣＰ：画像データ処理装置
ＣＤＩＣ：画像データインターフェース制御
ＩＭＡＣ：画像メモリアクセス制御
ＩＰＰ：画像データ処理器
【図１】
2004192263.tif 000003
【図２】
2004192263.tif 000004
【図３】
2004192263.tif 000005
【図４】
2004192263.tif 000006
【図５】
2004192263.tif 000007
【図６】
2004192263.tif 000008